(57)【要約】      （修正有）【課題】夏期における各居室の居住性を高める室内通気構造の提供。【解決手段】室内通気構造１は、建具としての引込戸２が建て込まれる出入り用開口枠３の上に通風用開口枠４を設けるとともに、該通風用開口枠に通風遮断建具としての引込戸５を建て込んである。引込戸５は図１(c)でよくわかるように、横架材８の上に形成されたレール１０の上を水平移動できるようになっているとともに、該レールは、通風用開口枠４に隣接する壁６内に延設してあるため、壁６の内部に収納することで開閉自在となっている。【選択図】図１
2006299704.tif 000002
【特許請求の範囲】
【請求項１】
開き戸、引き戸、引違い戸等の建具が建て込まれる出入り用開口枠の上に通風用開口枠を設けるとともに、該通風用開口枠に所定の通風遮断建具を開閉自在に建て込んだことを特徴とする室内通気構造。
【請求項２】
前記通風遮断建具を引込戸とし、該引込戸が前記通風用開口枠に隣接する壁の内部に収納できるように前記壁を構成した請求項１記載の室内通気構造。
【請求項３】
請求項１に係る室内通気構造を住宅内に設けるとともに、該住宅の外壁であってその天井面下方に通風窓を設けたことを特徴とする住宅の通気構造。
【発明の詳細な説明】
【技術分野】
【０００１】
本発明は、主として住宅の室内通気構造及びそれを用いた住宅の通気構造に関する。
【背景技術】
【０００２】
省エネルギー住宅を考える場合、高断熱設計及び高気密設計が不可欠である一方、当然ながら換気設計も適切に行う必要がある。ところが、高気密設計と換気設計とは相反する面もあり、換気が不十分な住宅あるいはその逆に気密性に劣る住宅も少なくない。
【０００３】
【特許文献１】特開平５−１４１０１８
【発明の開示】
【発明が解決しようとする課題】
【０００４】
しかしながら、高気密ゆえ、夏期においては暖気が居室に滞留し、居住性が著しく低下してしまうという問題が生じており、それを解決しようとすると、冷暖房負荷が増加してしまうという別の問題が生じる。
【０００５】
ちなみに、大きな吹抜け空間を設けるとともに天井に天窓を設けることで南側の暖気を該天窓から逃がす方法が従来から多数提案されているが、かかる手法で解決できる居室は大空間の部屋に限られており、子供部屋、寝室、書斎等の標準的な居室については、依然として上記問題は解決されていないのが現状である。
【課題を解決するための手段】
【０００６】
本発明は、上述した事情を考慮してなされたもので、夏期における各居室の居住性を高めることが可能な室内通気構造及びそれを用いた住宅の通気構造を提供することを目的とする。
【０００７】
上記目的を達成するため、本発明に係る室内通気構造は請求項１に記載したように、開き戸、引き戸、引違い戸等の建具が建て込まれる出入り用開口枠の上に通風用開口枠を設けるとともに、該通風用開口枠に所定の通風遮断建具を開閉自在に建て込んだものである。
【０００８】
また、本発明に係る室内通気構造は、前記通風遮断建具を引込戸とし、該引込戸が前記通風用開口枠に隣接する壁の内部に収納できるように前記壁を構成したものである。
【０００９】
また、本発明に係る住宅の通気構造は請求項３に記載したように、請求項１に係る室内通気構造を住宅内に設けるとともに、該住宅の外壁であってその天井面下方に通風窓を設けたものである。
【００１０】
請求項１に係る室内通気構造においては、開き戸、引き戸、引違い戸等の建具が建て込まれる出入り用開口枠の上に通風用開口枠を設けてある。換言すれば、建具が建て込まれる建具枠の上方は、通常、天井まで下がり壁が設けられるが、この下がり壁に通風用開口枠を設ける。
【００１１】
このようにすると、天井付近に滞留している暖気は、該通風用開口枠で囲まれた開口を介して居室の外側、例えば廊下やホールに排気可能となり、夏期において居室内に暖気が滞留し、居住性が低下する懸念がなくなる。
【００１２】
居室内に暖気が滞留しない季節には、通風遮断建具で通風用開口枠で囲まれた開口を塞ぐ。このようにすれば、該開口を介した空気の流通が遮断され、居室内の温度が低下する懸念もなくなる。
【００１３】
出入り用開口枠とは、一般的には一対の竪枠及びその頂部に架け渡される上枠を指すが、本明細書では、開き戸、引き戸、引違い戸等の建具を建て込むための枠をすべて包摂する趣旨であり、例えば、一対の柱と該柱の間に渡される鴨居等の横架材とからなる枠等も含まれる。
【００１４】
通風用開口枠も同様であって、通風遮断建具を建て込むことができる枠であれば何でもよく、例えば一対の竪枠、その上下にそれぞれ渡される上枠及び下枠で構成するとともに、下枠については開口枠の上枠を兼用するようにしてもよい。
【００１５】
通風遮断建具は、開閉自在に建て込むことができるのであればどのようなものでもよく、例えば引き戸や倒し窓が考えられるが、前記通風遮断建具を引込戸とし、該引込戸が前記通風用開口枠に隣接する壁の内部に収納できるように前記壁を構成したならば、通風用開口枠の開口を露出させたとき、通風遮断建具が居室から見えなくなるため、居室の美観に優れた構成となる。
【００１６】
なお、通風遮断建具を倒し窓で構成する場合、その操作の便宜上、居室側に倒れるような内倒し窓とすることが考えられる。
【００１７】
このような室内通気構造を住宅内に設けるとともに、該住宅の外壁であってその天井面下方に通風窓を設けたならば、屋外からの風が該通風窓から取り込まれ、天井面に沿って流れた後、居室内の暖気を連行する形で通風用開口枠から廊下やホールへと排気される。
【００１８】
なお、廊下等へ排気された暖気は、建物反対側に設けた通風窓から屋外に排出するようにしてもよいし、公知の技術、例えば天井に設けた天窓を介して屋外に排出するようにしてもよい。
【発明を実施するための最良の形態】
【００１９】
以下、本発明に係る室内通気構造及びそれを用いた住宅の通気構造の実施の形態について、添付図面を参照して説明する。なお、従来技術と実質的に同一の部品等については同一の符号を付してその説明を省略する。
【００２０】
（第１実施形態）
【００２１】
図１は、本実施形態に係る室内通気構造を示した図である。同図でわかるように、本実施形態に係る室内通気構造１は、建具としての引込戸２が建て込まれる出入り用開口枠３の上に通風用開口枠４を設けるとともに、該通風用開口枠に通風遮断建具としての引込戸５を建て込んである。
【００２２】
出入り用開口枠３は、対向配置された一対の竪枠７，７とそれらに渡された横架材８とからなるとともに、通風用開口枠４は、一対の竪枠７，７、横架材８及び上枠９とからなり、横架材８は、出入り用開口枠３の上枠と通風用開口枠４の下枠とを兼用し、竪枠７，７は、出入り用開口枠３の竪枠と通風用開口枠４の竪枠とを兼用する。出入り用開口枠３で囲まれた開口１３が居住者の出入りのための開口となることは言うまでもない。
【００２３】
引込戸５は図１(c)でよくわかるように、横架材８の上に形成されたレール１０の上を水平移動できるようになっているとともに、該レールは、通風用開口枠４に隣接する壁６内に延設してあるため、壁６の内部に収納することで開閉自在となっている。
【００２４】
ここで、引込戸５は同図(b)でよくわかるように、引込み完了位置で取っ手１１が露出するように構成してあり、開閉を容易に行うことが可能となっている。
【００２５】
本実施形態に係る室内通気構造においては、引込戸２が建て込まれる出入り用開口枠３の上に通風用開口枠４を設けてある。
【００２６】
このようにすると、天井付近に滞留している暖気は、該通風用開口枠で囲まれた開口１２を介して居室の外側、例えば廊下やホールに排気可能となり、夏期において居室内に暖気が滞留し、居住性が低下する懸念がなくなる。
【００２７】
居室内に暖気が滞留しない季節には、引込戸５を閉めることで開口１２を塞ぐ。このようにすれば、該開口を介した空気の流通が遮断され、居室内の温度が低下する懸念もなくなる。
【００２８】
以上説明したように、本実施形態に係る室内通気構造１によれば、夏期においては、引込戸５を開けることにより、天井付近に滞留している暖気を、開口１２を介して排気し、冬期においては、引込戸５を閉めることで該開口を介した空気の流通を遮断し、居室内の温度低下を防止することが可能となる。
【００２９】
本実施形態では、出入り用開口枠３に建て込む建具を引込戸２としたが、かかる形式の戸に限定されるものではなく、例えば開き戸でもかまわない。
【００３０】
また、本実施形態では、通風用開口枠４に建て込む通風遮断建具として引込戸を採用したが、これに代えて、倒し窓としてもかまわない。
【００３１】
図２は、かかる変形例を示したものであり、出入り用開口枠３の開口１３には開き戸２４を建て込んであるとともに、通風用開口枠４の開口１２には倒し窓２１を建て込んである。
【００３２】
ここで、同図(a)の倒し窓２１は、竪枠７，７に取り付けられたストッパー２２，２２で倒れ角度が制限されるようになっているとともに、同図(b)の倒し窓２１は、竪枠７，７に取り付けられた折り曲げ金物２３，２３で倒れ角度が制限されるようになっている。
【００３３】
（第２実施形態）
【００３４】
次に、第２実施形態について説明する。なお、第１実施形態と実質的に同一の部品等については同一の符号を付してその説明を省略する。
【００３５】
図３は、本実施形態に係る住宅の通気構造を示した概念図である。同図でわかるように、本実施形態に係る住宅の通気構造３０は、上述した室内通気構造１を住宅内に設けるとともに、該住宅の外壁であってその天井面下方に通風窓３１を設けてある。
【００３６】
本実施形態に係る住宅の通気構造３０においては、住宅の外壁であってその天井面下方に通風窓３１を設けてあるため、図３に示すようにまず、該通風窓を介して居室３２ａに風が流入する。
【００３７】
ここで、夏期の場合、南側にある居室３２ａには日射のため、室温が上がり、暖気３３が天井付近に滞留している。
【００３８】
しかし、本実施形態においては、通風窓３１を介して居室３２ａに流入した風が同図矢印で示すように天井面に沿って流れた後、上述した居室３２ａ内の暖気を連行する形で、通風用開口枠４の開口１２から廊下３２ｂへと排気される。
【００３９】
そして、同じく通風用開口枠４で囲まれた開口１２から居室３２ｃにいったん流入した後、通風窓３１を介して屋外へと抜ける。
【００４０】
以上説明したように、本実施形態に係る住宅の通気構造３０によれば、住宅の外壁であってその天井面下方に通風窓３１を設けてあるため、該通風窓から流入してきた自然風で居室の天井面付近に滞留している暖気を屋外へと排出することが可能となる。
【００４１】
本実施形態では、自然通風の入口として、住宅の外壁であってその天井面下方に通風窓を設けたが、出口をどのように設けるかは任意であり、上述した実施形態のように設けるほか、屋根面に天窓を設けるようにしてもかまわない。
【００４２】
かかる場合、居室から流出した暖気は、例えば階段室を介して上階へと流れ、最終的には天窓から屋外へ排気されることとなる。
【図面の簡単な説明】
【００４３】
【図１】第１実施形態に係る室内通気構造の概略図。
【図２】第１実施形態に係る室内通気構造の変形例を示した図。
【図３】第２実施形態に係る住宅の通気構造の概略図。
【符号の説明】
【００４４】
１                            室内通気構造
２                            引込戸（建具）
３                            出入り用開口枠
４                            通風用開口枠
５                            引込戸（通風遮断建具）
６                            壁
２１                          倒し窓（通風遮断建具）
３０                          住宅の通気構造
３１                          通風窓
【図１】
2006299704.tif 000003
【図２】
2006299704.tif 000004
【図３】
2006299704.tif 000005